(57)【要約】【構成】セーターの身頃と両袖を脇下まで各々筒状に編成した後、両袖の袖山を前側の袖山が後側の袖山よりも幅が狭くなるように、引き返し編みで編成する。脇下で両袖と身頃とを襠で接続し、ここで前身頃と両前袖との間の襠を、後身頃と両後袖との間の襠よりも大きくする。次いで、前身頃の編幅を後身頃の編幅よりも狭くしながら前身頃と後身頃とを編成すると共に両袖と接合し、前身頃と後身頃の上端部を接合する。【効果】袖や身頃に前後のくり違いがあり、身体にフィットするセーターなどを編成できる。【選択図】      図１
2005023440.tif 000002
【特許請求の範囲】
【請求項１】
身頃と両袖を脇下まで各々筒状に編成した後、両袖を身頃に接合し、さらに前身頃と後身頃との上端部を接合して、衣類とする編成方法において、
ステップａ：  両袖を脇下まで編成した後に、両袖の袖山を前側の袖山が後側の袖山よりも幅が狭くなるように、引き返し編みで編成し、
ステップｂ：  次いで、両前袖と前身頃とを接続する襠を脇下に形成し、
ここで、両後袖と後身頃との間には襠を形成しないか、または襠を形成しても前記両前袖と前身頃との襠よりも小さな襠とし、
ステップｃ：  次いで、前記脇下よりも上部で、前身頃の編幅を後身頃の編幅よりも狭くしながら、前身頃と後身頃とを編成すると共に前記両袖と接合する、ことを特徴とする、くり違いのある衣類の編成方法。
【請求項２】
ステップｄ：  前記ステップｃに続き、ネックホールの部分で、前記前身頃を左前身頃と右前身頃とに分割して編成し、かつ左前身頃が左袖側へ拡がり、右前身頃が右袖側へ拡がるようにすることにより、左前身頃の左上端が後身頃の左上端と左右方向にほぼ揃った位置に来るようにし、右前身頃の右上端が後身頃の右上端と左右方向にほぼとがほぼ揃った位置に来るようにする、ことを特徴とする、請求項１のくり違いのある衣類の編成方法。
【請求項３】
前記ステップｃを、前身頃と後身頃の一端が針床上で向かい合い、前身頃と後身頃の他端が針床上で向かい合わないようにして、実行することを特徴とする、請求項１のくり違いのある衣類の編成方法。
【請求項４】
前記ステップｃで、前記前身頃の一端の編目に隣接する袖の編目を重ねると共に、前記後身頃の他端の編目に隣接する袖の編目を重ねるステップと、
前記前身頃の他端の編目に隣接する袖の編目を重ねるステップと、
前記後身頃の一端の編目に隣接する袖の編目を重ねるステップと、
前記前身頃と後身頃上に新たな編目のコースを編成するステップとを行う、
ことを特徴とする請求項３のくり違いのある衣類の編成方法。
【請求項５】
筒状編地からなる身頃と筒状編地からなる両袖とが、脇で無縫製で編成操作により接合され、肩部で前身頃と後身頃とが接合された衣類において、
ａ：  前記両袖は脇下よりも上部に前後の袖山を備え、ここで前部の袖山は後部の袖山よりも幅を狭くし、
ｂ：  前記両袖の前部が脇下で襠により前身頃に接合されることにより、脇よりも上部での前身頃の編幅が後身頃の編幅よりも狭くされ、
ｃ：  脇で前身頃及び後身頃と両袖とが無縫製で接合されている、
ことを特徴とするくり違いのある衣類。
【請求項６】
身頃と両袖を脇下まで各々筒状に編成した後、両袖を身頃に接合し、前身頃を後身頃と接合して衣類とするための編成データを発生させる、デザイン装置において、
ａ：  両袖を脇下まで編成した後に、両袖の袖山を前側の袖山が後側の袖山よりも幅が狭くなるように、引き返し編みで編成するための袖山の編成データと、
ｂ：  脇下で両前袖と前身頃とを接続する襠を形成し、ここで両後袖と後身頃との間には襠を形成しないか、または襠を形成しても、前記両前袖と前身頃との襠よりも小さな襠とするようにした、襠の編成データと、
ｃ：  脇下よりも上部で前身頃の編幅を後身頃の編幅よりも狭くしながら、前身頃と後身頃とを編成すると共に前記両袖と接合するための、身頃と袖の接合編成データとを、
上記のａ〜ｃの順で各編成データが横編機により実行されるように生成することを特徴とするニットデザイン装置。
【発明の詳細な説明】
【０００１】
【発明の利用分野】
この発明はセーター、ベスト、ワンピース、ドレスなどの編成に関し、特に、前袖と後袖とにくり違いがあり、同様に前身頃と後身頃との間にもくり違いがあり、袖が前方に出て人の体型にフィットする衣類の編成に関する。この発明は、このようなくり違いのある衣類の編成方法、編成されたくり違いのある衣類、並びに必要な編成データを発生させるためのニットデザイン装置に関する。
【０００２】
【従来技術】
【特許文献１】特公平３−７５６５６号公報
【特許文献２】特開平８−１５８２０９号公報
【特許文献３】特開平９−３１０２５４号公報
【特許文献４】特開平１０−２２６９４７号公報
【特許文献５】特開平１０−７７５５６号公報
【特許文献６】特開２０００−２５６９４７号公報
【特許文献７】ＷＯ００／１２７９９号公報
【特許文献８】ＷＯ０１／５５４９１号公報
【特許文献９】ＷＯ０１／８８２４３号公報
【特許文献１０】ＷＯ０１／９４６７１号公報
【０００３】
出願人は、横編機により筒状編地を無縫製で編成することを検討し、実用化に成功した。特許文献１は２枚ベッドの横編機により筒状のリブ編みを行う編成方法を提案している。この方法は針抜き編成と呼ばれ、前後の針床の針を１本置きに使用する点が特徴である。特許文献２は２枚の編地の接合方法を提案している。例えば編地を各５目ずつ接合するとする。この場合、編地間の中央の編目同士を重ね、また両端の編目同士を重ねるように接合する。
【０００４】
特許文献３〜５は編地の接合や伏せ目の方法を提案している。特許文献６は袖山の引き返し編成を開示している。特許文献７は、前身頃の上端が肩ラインを越えて後身頃側へ入り込むようにするための編成方法を開示している。特許文献８は襟ぐりの編成方法を開示している。特許文献９は袖と身頃間の襠の編成方法を開示している。特許文献１０はＴスリーブタイプの袖と身頃の接合方法を開示している。
【０００５】
布帛を用いた製品では、人の体型に合わせて前後にくり違いを設けることは常識である。しかし無縫製のニット製品では、前後にくり違いのあるセーターなどは生産されていない。そして袖の部分で前後にくり違いを設け、袖が前方に出るようにすると、洋服感覚で着やすい衣類となる。しかしながら、無縫製ニットではこのようなセーターの編成方法は知られていない。
【０００６】
【発明の課題】
この発明の課題は、実質的に無縫製でかつ前後にくり違いがあり、着用時に袖が前側に寄って人体にフィットする衣類の編成方法と、このような衣類、並びに必要な編成プログラムを発生させるためのニットデザイン装置を提供することにある。
【０００７】
【発明の構成】
この発明のくり違いのある衣類の編成方法は、身頃と両袖を脇下まで各々筒状に編成した後、両袖を身頃に接合し、さらに前身頃と後身頃との上端部を接合して、衣類とする編成方法において、
ステップａ：  両袖を脇下まで編成した後に、両袖の袖山を前側の袖山が後側の袖山よりも幅が狭くなるように、引き返し編みで編成し、
ステップｂ：  次いで、両前袖と前身頃とを接続する襠を脇下に形成し、
ここで、両後袖と後身頃との間には襠を形成しないか、または襠を形成しても前記両前袖と前身頃との襠よりも小さな襠とし、
ステップｃ：  次いで、前記脇下よりも上部で、前身頃の編幅を後身頃の編幅よりも狭くしながら、前身頃と後身頃とを編成すると共に前記両袖と接合する、ことを特徴とする。
【０００８】
この明細書で、無縫製とは、全く縫製を行わない編成方法や、襠の形成から袖と身頃との接合において縫製を行わない編成方法などをいう。衣類の上下／左右／前後は衣類を着用した際を基準として定め、編み始め側が下、ネックホールや衿などの側が上である。なお針床（ニードルベッド）の前後やそのラッキング（振り）の方向は、編機を前から見たときを基準として、前側を前／後側を後とし、手前から見て左に振ると左にラッキング、右に振ると右にラッキングとする。
【０００９】
好ましくは、前記ステップｃに続き、ネックホールの部分で、前記前身頃を左前身頃と右前身頃とに分割して編成し、かつ左前身頃が左袖側へ拡がり、右前身頃が右袖側へ拡がるようにすることにより、左前身頃の左上端が後身頃の左上端と左右方向にほぼ揃った位置に来るようにし、右前身頃の右上端が後身頃の右上端と左右方向にほぼとがほぼ揃った位置に来るようにする。
【００１０】
また好ましくは、前記ステップｃを、前身頃と後身頃の一端が針床上で向かい合い、前身頃と後身頃の他端が針床上で向かい合わないようにして、実行する。
特に好ましくは、前記ステップｃで、
前記前身頃の一端の編目に隣接する袖の編目を重ねると共に、前記後身頃の他端の編目に隣接する袖の編目を重ねるステップと、
前記前身頃の他端の編目に隣接する袖の編目を重ねるステップと、
前記後身頃の一端の編目に隣接する袖の編目を重ねるステップと、
前記前身頃と後身頃上に新たな編目のコースを編成するステップとを行う。
【００１１】
またこの発明のくり違いのある衣類は、筒状編地からなる身頃と筒状編地からなる両袖とが、脇で無縫製で編成操作により接合され、肩部で前身頃と後身頃とが接合された衣類において、
ａ：  前記両袖は脇下よりも上部に前後の袖山を備え、ここで前部の袖山は後部の袖山よりも幅が狭く、
ｂ：  前記両袖の前部が脇下で襠により前身頃に接合されることにより、脇よりも上部での前身頃の編幅が後身頃の編幅よりも狭くされ、
ｃ：  脇で前身頃及び後身頃と両袖とが無縫製で接合されている、
ことを特徴とする。
【００１２】
この発明のニットデザイン装置は、身頃と両袖を脇下まで各々筒状に編成した後、両袖を身頃に接合し、前身頃を後身頃と接合して衣類とするための編成データを発生させる、デザイン装置において、
ａ：  両袖を脇下まで編成した後に、両袖の袖山を前側の袖山が後側の袖山よりも幅が狭くなるように、引き返し編みで編成するための袖山の編成データと、
ｂ：  脇下で両前袖と前身頃とを接続する襠を形成し、ここで両後袖と後身頃との間には襠を形成しないか、または襠を形成しても、前記両前袖と前身頃との襠よりも小さな襠とするようにした、襠の編成データと、
ｃ：  脇下よりも上部で前身頃の編幅を後身頃の編幅よりも狭くしながら、前身頃と後身頃とを編成すると共に前記両袖と接合するための、身頃と袖の接合編成データとを、
上記のａ〜ｃの順で各編成データが横編機により実行されるように生成することを特徴とする。
【００１３】
【発明の作用と効果】
この発明では、両袖の袖山を、前側の袖山が後側の袖山よりも幅が狭くなるように、引き返し編みで編成する。次に前袖と前身頃とを接続する襠が、後袖と後身頃とを接続する襠よりも大きくなるように、あるいは後袖と後身頃との間には襠を形成しないようにして、襠で袖と身頃とを接続する。脇下まで前身頃と後身頃との編幅が同じとすると、前身頃側にのみ襠があるため、あるいは前後の襠に長さの差があるため、襠以降（襠よりも上部）で前身頃の編幅が後身頃よりも小さくなる。また前袖の袖山は後袖の袖山よりも幅を狭くしてある。このため、例えば前後の袖の境界部は前袖側に押し出され、袖が前側に寄った衣類となり、人の体型に合ったシルエットになる。
【００１４】
好ましくは、ネックホールの部分で、前身頃を左右に分割して編成し、左前身頃と右前身頃とが各々袖側に拡がるように編成する。すると襠の部分で前身頃の編幅を減らした部分を補い、前身頃の左右両端が後身頃の左右両端とほぼ同じ位置に現れ、肩部の接合が容易になる。
【００１５】
袖と前身頃や後身頃の接合編成で、前身頃の一端と後身頃の一端とが針床上で向かい合うように位置を揃えると、編幅の狭い前身頃用の給糸口を後身頃の編幅の外に出して配置できるので、前身頃用の給糸口が編成の邪魔にならない。
袖を身頃に接合するには、袖の端部の編目を目移しして身頃の編目に重ねると、出来上がった衣類では、目移しにより捻られた袖の編目が、身頃の編目の裏側に現れ、編目の捻りが見えづらい。また前身頃の一端と後身頃の一端とを揃えておくと、前身頃の一端と後身頃の他端とには、例えば同時に、あるいは近接したステップで袖の端部の編目を目移して重ねることができる。そこで前身頃の他端に袖の編目を重ねるステップと、後身頃の一端に袖の編目を重ねるステップとを別に行い、特にこれらのステップを別々に行うと、前身頃と後身頃の各両端に重ね目を形成できる。そしてこれらの重ね目上に新たな編目を作るように、前身頃と後身頃とを編成する。このようにすると、前身頃と後身頃の編成及び袖との接合を簡単に行える。
【００１６】
この発明のくり違いのある衣類では、両袖が自然と前側に寄り、着用時に人体にフィットする。またこの発明のくり違いのある衣類を着用すると、前側にシワが少なく、後側に突っ張りが少なくなり、きれいなシルエットが得られる。
この発明のニットデザイン装置では、くり違いのある衣類の編成データを生成できる。
【００１７】
【実施例】
図１〜図１２に、実施例とその変形を示す。図１〜図４に、実施例で編成するセーター２のデザインを示す。４は前身頃で、その後側には後身頃６があり、左右に左袖８と右袖１０とがある。なお左右はセーター２を着用した際を基準に示すので、通常とは逆に現れる。各図において小文字は袖側の位置を示し、大文字は身頃側の位置を示す。また小文字ａと大文字Ａのように対応する点は、編成によって同じ位置に重ねられる。なお前身頃上端のＤ，Ｄ’は、それぞれ後身頃上端のＦ，Ｆ’と同じ位置となる。図１〜図４等では、アームホールのライン（袖の身頃への取付部）は直線状であるが、曲線状でも良い。
【００１８】
（Ａ，ａ），（Ａ’，ａ’）は脇下の位置を示し、前身頃４や後身頃６は、裾ゴムの１Ｂ〜２Ｂから編み始めて、脇下まで編成した編成状態３Ａまで筒状に編成され、同様に左袖８や右袖１０も編み始めの裾ゴム１Ｓ〜２Ｓから、筒状に編成される。脇下の位置で前身頃４や後身頃６の編成を一旦中断し、左右の袖８，１０に対して袖山１２を編成する。袖山１２は引き返し編みにより編成し、筒状の左袖８に対して、（ｅ〜ａ〜ｂ）までの針を作動させず、残る袖の針に対して袖山を編成する。徐々に袖山の編幅（編成を行う針で定まる編幅）を小さくして、（ｆ〜ｇ〜ｃ）の範囲まで編幅を小さくする。この時左袖８の各編目は針に掛かったままで、袖山１２は後袖側で幅が広く、前袖側で幅が狭くなる。言い換えると、袖ぐりは前側が大きく、後側が小さい。これと同様にして、右袖１０に対しても袖山１２を引き返し編みで編成し、前袖の袖山を後袖の袖山よりも幅を狭くする。
【００１９】
１４はネックホールで、１６はネックホール１４の周囲の衿で、設けなくてもよい。１８は上部前身頃で、脇下からネックホール１４の下までの部分である。上部前身頃１８の裏側には上部後身頃２３があり、これらは図１の編成状態３Ａから編成状態４Ａを経て、編成状態５Ｓまでの部分である。ネックホール１４の部分（５Ｓ〜６Ｎ）で、前身頃は左前肩部２０と右前肩部２１に左右に分かれて編成される。左前肩部２０では、右端がネックホール１４に沿って移動し、左端は左袖８側に向かって移動するので、左前肩部２０の形状は、図１のように左上端の点Ｄが左袖側に突き出したものとなる。そして左前肩部２０の左上端の点Ｄは後肩部２２の左上端の点Ｆと、左右がほぼ同じ位置に現れる。右前肩部２１の編成も同様で、ネックホールの下部のＩ’から上部のＨ’へと右側の端部が斜めを向いてネックホール１４に合った形状を成し、右上端の点Ｄ’は点Ｃ’よりも右側に突き出して、後肩部２２の右上端の点Ｆ’と左右がほぼ同じ位置に現れる。図１での他の点に付いて説明すると、Ｉ，Ｉ’はネックホールの下端の左右の端点、Ｈ，Ｈ’はネックホールの上端の左右の端点（前身頃に属する）、Ｋ，Ｋ’はＨ，Ｈ’に対応する後肩部２２の点である。
【００２０】
袖山１２，１２を両袖８，１０に対して編成した後、点（ａ，Ａ）、（ｂ，Ｂ）、（ｅ，Ｅ）を互いに接合するように、左袖８を前身頃４と後身頃６に襠で接合する。右袖１０でも、点（ａ’，Ａ’）（ｂ’，Ｂ’）（ｅ’，Ｅ’）を互いに接合するように襠を形成する。前身頃や前袖側の襠形成部２５，２５は、後身頃や後袖側の襠形成部２６，２６よりも幅が広く、後袖側の襠形成部２６は設けなくてもよい。襠の形成までの状態（図１の編成状態３Ａ）を、図２に模式的に示す。
【００２１】
図３は上部前身頃１８の編成が終わった状態（図１の編成状態５Ｓ）を示し、ここまでは上部後身頃２３も同様に編成され、これらの上端はほぼネックホール１４の下端の高さにある。また左袖８のｂ点と前身頃のＢ点とは襠で接合され、上部前身頃１８を編成しながら、Ｃ点とｃ点を接合するように、ほぼ鉛直にラインＢ−Ｃとラインｂ−ｃを重ねるように、袖と前身頃の接合が行われる。同様にラインＢ’−Ｃ’とラインｂ’−ｃ’を重ねるように、右袖１０と上部前身頃１８の接合が行われる。上部後身頃２３では、ラインＥ−Ｆとラインｅ−ｆを重ねるように、左袖８との接合が行われ、同様に右袖１０に対して、ラインＥ’−Ｆ’とラインｅ’−ｆ’を重ねるように接合が行われる。
【００２２】
後肩部２２の編成は後回しにして、ネックホール１４の両側に左前肩部２０と右前肩部２１とを編成し、この時左前肩部２０のＣ〜Ｄラインで左袖８のｃ〜ｆラインとの接合を行う。同様に右前肩部２１のＣ’〜Ｄ’ラインで、右袖１０の上部のｃ’〜ｆ’ラインと接合する。図１に、袖８，１０の前後の境界をｈ，ｈ’で示すと、袖山１２が前袖側で幅が狭く、前側の襠形成部２５が後側の襠形成部２６よりも広いため、ｈ，ｈ’は図４に示すように袖の前側に現れる。言い換えると袖は自然と前側に寄った形になり、着用時に人体にフィットし、着心地の良いセーターとなる。図４の状態から衿１６を取り付けると、セーター２の編成が完了する。
【００２３】
セーター２は無縫製であるが、例えば衿の取り付けやポケットの取り付けなどは縫製を用いてもよい。この発明で無縫製として特に意味がある部分は、襠２５，２６を形成し、両袖８，１０を身頃４，６に接合し、前身頃４の上端と後身頃６の上端を接合する部分である。
【００２４】
前後にくり違いのある衣類としては、図５に示す半袖セーター３０などでもよく、当然ながらベストなどでも良い。３２は左袖、３４は右袖で、３５，３６は襠で、前部の襠３５は後部の襠３６よりも幅が広い。この結果、上部前身頃１８の編幅は、上部後身頃２３の編幅よりも狭くなり、アームホール３７の中心は前向きになって、袖３２，３４が前を向く。図５の半袖セーター３０は、図１のセーターで、脇から袖口までの距離を極端に短くしたものと考えることができる。
【００２５】
図６に、ラグランセーター４０に実施例を適用した例を示す。４２は前身頃、４４は後身頃、４６は左袖、４８は右袖で、前側の襠５０，５０は後側の襠５１，５１よりも幅が広く、袖４６，４８と前身頃４２との接合ライン５２は、後身頃４４との接合ライン５３よりも内側に寄っている。５４はネックホールである。ラグランセーター４０でも袖山５５，５５を襠５０，５１の編成に先立って引き返し編みで編成し、前側の襠５０が後側の襠５１よりも広くなるように、襠５０，５１を形成する。また袖山５５は前側が後側よりも幅が狭くなるようにしておく。襠５０が襠５１よりも広いので、接合ライン５２は接合ライン５３よりも内側に寄り、ここでは接合ライン５２，５３は平行で、共に所定コース毎に減らし目を行う。袖山５５では前側の袖山が後側の袖山よりも幅が狭いので、袖は自然と前側を向き、着用しやすい衣類となる。
【００２６】
図７〜図１１に、図１のセーター２の編成ステップを示す。袖付けの種類は、セットインである。各図において１〜６などの編成ステップの番号は図毎に付し、同じ番号でも図が異なれば別のステップである。セーター２での位置や部材名などは、図１の符号で参照する。使用する横編機は例えば４枚の針床を備えた横編機とするが、２枚ベッドの場合、公知の針抜き編成を用いると同様の編成ができる。
【００２７】
両袖８，１０を筒状編成して袖山１２まで編成する。これと同様に身頃も後筒状編成して、脇下まで編成する。図７のステップ１に、脇下まで編成した際の針床での身頃と袖の係止状態を示す。ステップ２で、襠を編成するため両袖を身頃側に寄せて身頃に隣接させる。この時、前身頃や両前袖は下部前ベッドＦＤに係止され、後身頃や両後袖は下部後ベッドＢＤに係止されている。ステップ３で、左前袖を上部後ベッドＢＵに、右後袖を上部前ベッドＦＵに目移しし、右後袖と後身頃との間の襠を形成すると共に、左前袖と前身頃との間の襠の約半分を形成する。ステップ３を終えた後ステップ４の前に、右後袖を元の下部後ベッドＢＤへ移し戻す。ステップ４で、後ベッドを左側へラッキングしながら襠を形成する。この時、糸切れを防ぐため、後右袖の端の編目を順に前ベッドに回し込む。
【００２８】
回し込みの原理を図８に示すと、ステップ０で編地６０，６１が向かい合って配置されているものとする。ステップ１で例えば後側の編地６１を左へシフト（ラッキング）させ、ステップ２で両端の編目を目移しする。次にステップ３で編地を再度シフトさせ、以降は、目移しとラッキングとを繰り返す。このようにすると、編地を横編機上で回し込むことができる。
【００２９】
図７のステップ４で、前身頃と左前袖との襠の形成を完了する。ステップ５で、後身頃と左後袖との襠を形成し、前身頃と右前袖との襠の約半分を形成する。ステップ５とステップ６の間で、左後袖を下部前ベッドＦＤへ回し込む。そしてステップ６で、前身頃と右前袖との残りの襠を形成する。これらによって左右の後袖が前ベッド側に回し込まれ、前後の袖の境界ｈ，ｈ’は前ベッドに移動している。
【００３０】
図９，図１０に、上部前身頃１８及び上部後身頃２３の、袖山１２，１２との接合を示す。図９のステップ１は、襠の形成が終わった点である。ここからステップ２で編地を例えば時計回りに回転し、前身頃４の右端と、後身頃６の右端を、針床上で向かい合うように揃える。また給糸口６２は前身頃４用の給糸口で、給糸口６３は後身頃６用の給糸口で、これらを身頃４，６の右端の外側に配置する。これは給糸口６２，６３、特に編幅の狭い前身頃４用の給糸口６２が、後身頃の編幅内に入り、ステップ３〜１２での目移しやコース編成などの編成操作に支障をきたすことがないようにするためである。給糸口６３は、後身頃６の左端の外側で待機させても良い。
【００３１】
編地は当初、下部前ベッドＦＤと下部後ベッドＢＤとにあるものとする。ここからステップ３のように目移しし、ステップ４で上下の後ベッドＢＵ，ＢＤを右へ１ピッチラッキングして、目移しを行うと、袖の端部の編目を１目ずつ前身頃の右端と後身頃の左端に接合して、一対の重ね目６４，６４が得られる。これらの重ね目６４，６４は、後身頃と端を揃えた側の前身頃の端部と後身頃の反対側の端部とにある。ステップ５で前身頃と袖の端部の編目６７を上部後ベッドＢＵへ目移しし、ステップ６で元のベッドへ再度目移しして、袖の端部の編目６７を上部後ベッドＢＵに残す。ステップ７でラッキングを行い、ステップ８で目移しすると、次の重ね目６５が、前身頃４の端部（端が後身頃と揃っていない方の端部）に得られる。
【００３２】
ステップ９で後身頃と袖の端部の編目６８を上部前ベッドＦＵへ目移しし、ステップ１０で上下の後ベッドＢＵ，ＢＤを右へ１ピッチラッキングしてから後身頃だけを目移しし、ステップ１１で編目６８を目移しすると、重ね目６６が後身頃の端部（前身頃の端部と向き合った側の端部）に得られる。このようにして前身頃の両端と後身頃の両端に各１目、合計４目の重ね目が形成される。そしてステップ１２などで、適宜のコース数、例えば各２コースずつ、前身頃と後身頃を編成する。ステップ４〜１２を繰り返して、編目を減らして行き、袖と身頃の接合並びに前後の身頃の上部の編成を行う。
【００３３】
図１１では、ネックホール１４の部分からの編成を示す。ステップ１はこの部分の編成の開始前で、ステップ２は、左前肩部２０と右前肩部２１とを編成し袖と接合することを模式的に示している。この編成では、編地が徐々に袖側に移動するように編成し、例えば編地を２コースなどの所定コース毎に移動させながら編成し、必要であれば左前肩部２０の左側や右前肩部２１の右側で増目を行って編幅を増加させる。この間に袖と前肩とが接合され、前肩の左右の端部の編目に袖の端部の編目とを重ねて接合する。これによって袖山のｃ点，ｇ点，ｆ点が、左前肩部２０のＣ点，Ｇ点，Ｄ点に、それぞれ接合される。なおｇ点はｆ点，ｃ点の中点で、Ｇ点はＤ点，Ｃ点の中点で、境界ｈ点はｇ点よりも前側にある。右前肩部２１も同様である。
【００３４】
ステップ３で後肩部２２を編成し、編幅を徐々に狭めながら、後肩部２２と前肩部２０，２１の編目を重ねて接合して行くと、ステップ４の状態となる。ここから衿１６を編成してセーター２を完成する。
【００３５】
図１２に、実施例で用いるニットデザイン装置８０を示す。ニットデザイン装置８０の目的は、実施例で示したくり違いのある衣類の編成データを、ユーザのデザインに従って生成することである。８１はバスで、８２はキーボード、８３はスタイラスで、この他にマウスやトラックボールなどの入力を設けてもよい。８４はカラーモニタなどの表示部で、８５はカラープリンタで、８６はディスクであり、これ以外にＬＡＮとの接続などを可能にしてもよい。
【００３６】
筒状編成部９０は、ユーザのデザインに従って、脇下までの身頃や両袖までの筒状編成に必要な編成データを生成する。ユーザのデザインに従って、各部の編成データを生成する点は、以下同様である。袖山引き返し編成部９１は後側の袖山が前側の袖山よりも幅の広い、非対称な袖山を引き返し編成するための編成データを生成する。非対称襠編成部９２は、前後非対称で前側の襠が後ろ側の襠よりも大きい前後の襠の編成データを生成する。後の襠は無くても良い。身頃袖接合部９３は、脇下よりも上での上部前身頃や上部後身頃と両袖の接合並びに上部前身頃や上部後身頃編成のデータを生成する。前肩編成部９４は、前肩を編成しながら袖と接合する編成データを生成する。後肩編成部９５は、後肩と前肩の接合編成の編成データを生成する。なお後肩の編成は、接合を主として編目の形成が僅かなものでも、編目を多数形成するものでもよい。衿編成部９６は衿の編成データを生成する。
【００３７】
実施例では、前後にくり違いのある衣類を編成できるので、袖は前方を向き、人の体に自然にフィットする。また着用時に、前側にシワが少なく、後側に突っ張りが少なくなり、きれいなシルエットが得られる。実施例ではセーターを示したが、ワンピースやドレス、ベストなどでもよい。
【００３８】
実施例では、袖山を先に形成しておく。袖山の最終コースの編目は前身頃の端部の編目に接合されるが、セーターなどの着用時に袖山の最終コースの編目は前身頃の端部の編目の裏側に現れるので、袖山を後側から前側に回し込むことによる編目の捻れが目立ちにくい。また接合部においても回し込まれた後袖の編目が捻れないようにする場合は、袖山の最終コースを編成する際に上記の回し込みがされる編目に対して、給糸方向を逆向きにして予め捻れた状態に編目を形成しておき、回し込みの際の目移しでその捻れを解消させるとよい。このためには袖山の後部を例えば３目分前部へ回し込むものとして、後部の端の３目の編成で最終コースの他の編目とは給糸方向を逆にして編成すればよい。例えば他の編目の給糸方向が左から右として、端から３番目の編目に対して、給糸口を３番目の編目の位置を通過させた後に、逆に右から左に戻しながら給糸して、３番目の編目を形成する。同様にして端から２番目の編目を、他とは逆に右から左に給糸しながら形成し、端部の編目も同様にして給糸方向を逆にし形成する。
【図面の簡単な説明】
【図１】実施例で編成するくり違いセーターのパターンを示す図
【図２】図１のくり違いセーターを、脇下まで編成し前後非対称な襠を編成することを模式的に示す図
【図３】図２に続いて、図１のＣ−Ｃ’ラインまで編成したセーターを模式的に示す図
【図４】図３に続き、前肩と袖の接続を完了し、後肩を編成し、襟の編成を待つセーターを模式的に示す図
【図５】実施例に従って編成した半袖セーターを模式的に示す図
【図６】変形例で編成したラグランセーターを模式的に示す図
【図７】実施例での前後非対称な襠の編成方法の概要を示す図
【図８】図７の編成で用いる回し込み操作を示す図
【図９】図１でのＢ−Ｂ’ラインからＣ−Ｃ’ラインまでの、前身頃と両袖の接合ステップの主要部を示す図
【図１０】図９に続く接合ステップを示す図
【図１１】図１の状態５Ｓ（両前肩と袖の接合）から状態７Ｃ（襟の編成）までの編成操作の概要を示す図
【図１２】実施例のくり違いのある衣類の編成をサポートしたニットデザイン装置のブロック部
【符号の説明】
２          セーター
４          前身頃
６          後身頃
８          左袖
１０        右袖
１２        袖山
１４        ネックホール
１６        衿
１８        上部前身頃
２０        左前肩部
２１        右前肩部
２２        後肩部
２３        上部後身頃
２５，２６  襠形成部
３０        半袖セーター
３２        左袖
３４        右袖
３５，３６  襠
３７        アームホール
４０        ラグランセーター
４２        前身頃
４４        後身頃
４６        左袖
４８        右袖
５０，５１  襠
５２，５３  接合ライン
５４        ネックホール
５５        袖山
６０，６１  編地
６２，６３  給糸口
６４〜６６  重ね目
６７，６８  編目
８０        ニットデザイン装置
８１        バス
８２        キーボード
８３        スタイラス
８４        表示部
８５        カラープリンタ
８６        ディスク
９０        筒状編成部
９１        袖山引き返し編成部
９２        非対称襠編成部
９３        身頃袖接合部
９４        前肩編成部
９５        後袖編成部
９６        衿編成部
【図１】
2005023440.tif 000003
【図２】
2005023440.tif 000004
【図３】
2005023440.tif 000005
【図４】
2005023440.tif 000006
【図５】
2005023440.tif 000007
【図６】
2005023440.tif 000008
【図７】
2005023440.tif 000009
【図８】
2005023440.tif 000010
【図９】
2005023440.tif 000011
【図１０】
2005023440.tif 000012
【図１１】
2005023440.tif 000013
【図１２】
2005023440.tif 000014